(57)【要約】  【構成】  リモコン装置１４では、制御開始に先立ってユーザ選択操作が行われる。リモコンＣＰＵ４６は、選択されたユーザの識別子をレジスタ５０ｒに保持し、以降ユーザが交代するまでの期間、レジスタ５０ｒに保持されているユーザ識別子をリモコン信号に含めて送信する。本体装置１２では、複数のユーザの各々の設定値群がレジスタ３６ｒに予め登録されている。本体ＣＰＵ３８は、リモコン信号が受信されたとき、受信信号に含まれている識別子に対応するユーザの設定値群に従い、該当回路を制御する。  【効果】  複数のユーザの一人一人が面倒な操作を行わなくてもリモコン装置１４を介して自分に適した信号処理を本体装置１２に行わせることができる。【選択図】  図１
2005252577.tif 000002
【特許請求の範囲】
【請求項１】
遠隔制御装置と本体装置とを備える遠隔制御システムにおいて、
前記遠隔制御装置は、
複数のオペレータの中から所望のオペレータを選択する選択操作を受け付けたとき前記所望のオペレータの識別子をレジスタに保持する保持手段、および
前記本体装置の動作状態を変更する変更操作を受け付けたとき前記レジスタに保持された識別子と前記変更操作に対応する指令とを含む制御信号を前記本体装置に送信する送信手段を備え、
前記本体装置は、
前記複数のオペレータの各々に向けられた設定情報を記憶する記憶手段、
前記送信手段によって送信された制御信号に含まれる識別子に基づいて前記所望のオペレータに向けられた設定情報を特定する特定手段、および
前記送信手段によって送信された制御信号に含まれる指令と前記特定手段によって特定された設定情報とに基づいて動作を制御する制御手段を備えることを特徴とする、遠隔制御システム。
【請求項２】
前記本体装置は複数のチャネルを通してそれぞれ放送される複数の放送信号を受信する受信手段をさらに備え、
前記設定情報は前記複数のチャネルの中から任意に指定されたチャネルを示すチャネル情報を含み、
前記制御手段は前記チャネル情報に基づいて前記受信手段の受信動作を制御する、請求項１記載の遠隔制御システム。
【請求項３】
前記指令は特定チャネル選択指令を含み、
前記チャネル情報は選択禁止情報を含む、請求項２記載の遠隔制御システム。
【請求項４】
前記指令は隣接チャネル選択指令を含み、
前記チャネル情報は選択可能情報を含む、請求項２記載の遠隔制御システム。
【請求項５】
前記本体装置は、コンテンツを出力する出力手段、および前記コンテンツの品質を調整する調整手段をさらに備え、
前記設定情報は前記コンテンツの品質を調整するための調整値を含み、
前記制御手段は前記調整値に基づいて前記調整手段の調整動作を制御する、請求項１ないし４のいずれかに記載の遠隔制御システム。
【請求項６】
前記調整値を示すキャラクタを表示する表示手段をさらに備え、
前記設定情報は前記キャラクタの表示様態を示すキャラクタ情報をさらに含み、
前記制御手段は前記キャラクタ情報に基づいて前記キャラクタ表示手段をさらに制御する、請求項５記載の遠隔制御システム。
【請求項７】
前記キャラクタ情報は表示サイズを含む、請求項６記載の遠隔制御システム。
【請求項８】
本体装置は所定のアプリケーションプログラムを実行する実行手段をさらに備え、
前記設定情報は前記アプリケーションプログラムの実行の可否を示す実行可否情報を含み、
前記制御手段は前記実行可否情報に応じて前記実行手段を起動する、請求項１ないし７のいずれかに記載の遠隔制御システム。
【請求項９】
前記アプリケーションプログラムは電子メールを受信するためのプログラムを含む、請求項８記載の遠隔制御システム。
【発明の詳細な説明】
【技術分野】
【０００１】
この発明は、遠隔制御システムに関し、特にたとえば、テレビジョン受像機とこれを遠隔制御するリモートコントロール装置（リモコン装置）とからなる遠隔制御システムに関する。
【背景技術】
【０００２】
従来この種のシステムの一例が特許文献１に開示されている。この従来技術では、本体側で受光部がリモコン装置からコントロールコードを受信すると、受信されたコントロールコードはＣＰＵに与えられる。応じてＣＰＵが該当回路に制御信号を供給し、これにより該当回路が制御される。
【０００３】
なお、従来技術では、このような基本動作に加え、次のような動作も行われる。テレビジョン受像機の本体側メモリに新旧２組のコントロールコードが記憶される。本体側ＣＰＵは、リモコン装置からある新コントロールコードを受信すると、対応する旧コントロールコードをメモリから読み出し、読み出された旧コントロールコードを該当回路に供給する。これにより、新コントロールコードとして他社のコントロールコードを記憶させれば、他社のリモコン装置で本体動作を制御することができる。
【特許文献１】特開昭６３−１０７３７０号公報〔Ｈ０４Ｎ ５／００，Ｈ０４Ｑ ９／００〕
【発明の開示】
【発明が解決しようとする課題】
【０００４】
ところで、テレビジョン受像機には通常、ユーザが快適にＴＶ番組を視聴できるようにするために、例えば画質や音質を調整する機能，チャネル切り換えキーを押したとき予め登録したチャネルにしか切り換わらないようにするチャネルスキップ機能などが付加されている。こうした調整や登録は、本体の操作パネルによって、あるいはリモコン装置を介して行われる。
【０００５】
しかし、テレビジョン受像機は、個人用のものもあるが、複数のユーザによって共有される場合が多い。この場合、一人一人好みが異なるので、どのように調整や登録を行っても、全てのユーザを同時に満足させることは不可能である。そのため従来技術では、全員の平均値を採用するか、ユーザが変わるたびに再調整や登録変更を行うほかなかった。
【０００６】
それゆえに、この発明の主たる目的は、複数のユーザの一人一人がめんどうな操作を行わなくても遠隔制御装置を介して自分に適した信号処理を本体装置に行わせることができる、遠隔制御システムを提供することである。
【課題を解決するための手段】
【０００７】
請求項１の発明は、遠隔制御装置と本体装置とを備える遠隔制御システムにおいて、遠隔制御装置は、複数のオペレータの中から所望のオペレータを選択する選択操作を受け付けたとき所望のオペレータの識別子をレジスタに保持する保持手段、および本体装置の動作状態を変更する変更操作を受け付けたときレジスタに保持された識別子と変更操作に対応する指令とを含む制御信号を本体装置に送信する送信手段を備え、本体装置は、複数のオペレータの各々に向けられた設定情報を記憶する記憶手段、送信手段によって送信された制御信号に含まれる識別子に基づいて所望のオペレータに向けられた設定情報を特定する特定手段、および送信手段によって送信された制御信号に含まれる指令と特定手段によって特定された設定情報とに基づいて動作を制御する制御手段を備えることを特徴とする、遠隔制御システムである。
【０００８】
請求項１の発明では、遠隔制御装置によって、まず複数のオペレータの中から所望のオペレータを選択するための選択操作が受け付けられる。選択操作が受け付けられると、選択されたオペレータの識別子がレジスタに保持される。こうして識別子がレジスタに保持された後、本体装置の動作状態を変更する変更操作が受け付けられる。変更操作が受け付けられると、レジスタに保持された識別子と変更操作に対応する指令とを含む制御信号が本体装置に送信される。
【０００９】
本体装置には、複数のオペレータの各々に向けられた設定情報が記憶される。本体装置は、遠隔制御装置から制御信号を受信すると、受信された制御信号に含まれる識別子に基づいて所望のオペレータに向けられた設定情報を特定し、受信された制御信号に含まれる指令と、特定された設定情報とに基づいて動作を制御する。
【００１０】
このように、制御開始に先立ってまずオペレータの識別子を遠隔制御装置に登録し、以降オペレータが交代するまで、遠隔制御装置から本体装置へ向けて送信される指令には、この登録識別子を添付する。本体装置は、複数のオペレータの各々に向けられた設定情報を記憶しており、遠隔制御装置から指令を受信すると、この指令に添付された登録識別子に対応する設定情報を特定して、受信された指令と特定された設定情報とに基づいて自分の動作を制御する。すなわち、オペレータは、制御開始前に一度自分の識別子を登録すれば、以降ただ単に遠隔制御装置の制御キーを操作するだけで、自分に適した動作を本体装置に行わせることができる。
【００１１】
請求項２の発明は、請求項１記載の遠隔制御システムにおいて、本体装置は複数のチャネルを通してそれぞれ放送される複数の放送信号を受信する受信手段をさらに備え、設定情報は複数のチャネルの中から任意に指定されたチャネルを示すチャネル情報を含み、制御手段はチャネル情報に基づいて受信手段の受信動作を制御する。
【００１２】
請求項２の発明では、本体装置は、複数のチャネルを通してそれぞれ放送される複数の放送信号を受信する受信動作を行う。本体装置には、複数のオペレータの各々に向けられたチャネル情報が記憶されており、本体装置は、遠隔制御装置から指令を受信すると、この指令に添付された登録識別子に対応するチャネル情報に基づいて受信動作を制御する。これにより、オペレータの一人一人が自分に適したチャネルを受信することができる。
【００１３】
請求項３の発明は、請求項２記載の遠隔制御システムにおいて、指令は特定チャネル選択指令を含み、チャネル情報は選択禁止情報を含む。
【００１４】
請求項３の発明では、指令には特定チャネル選択指令が含まれ、チャネル情報には選択禁止フラグが含まれる。すなわち、ある特定のチャネル選択キーの押下に応じて遠隔制御装置から特定チャネル選択指令が送信されたとき、本体装置は、特定チャネルを対応チャネル情報と比較し、特定チャネルがチャネル情報の示す選択禁止チャネルに該当する場合には、特定チャネルの受信動作を行わない。これにより、オペレータ一人一人に対して特定チャネルの視聴制限を課すことができる。
【００１５】
請求項４の発明は、請求項２記載の遠隔制御システムにおいて、指令は隣接チャネル選択指令を含み、チャネル情報は選択可能情報を含む。
【００１６】
請求項４の発明では、指令には隣接チャネル選択指令が含まれ、チャネル情報には選択許可フラグが含まれる。すなわち、カーソルキーなどのようなチャネル切り換えキーの押下に応じて遠隔制御装置から現チャンネルに隣接するチャネルを選択する指令が送信されたとき、本体装置は、隣接チャネルを対応チャネル情報と比較し、隣接チャネルがチャネル情報の示す選択許可チャネルに該当する場合に、隣接チャネルの受信動作を行う。これにより、あるオペレータがチャネル切り換えキーを押したときには、そのオペレータが予め登録したチャネル以外はスキップされるので、オペレータの一人一人が自分の好みのチャネルへの切り換えを素早く行うことができる。
【００１７】
請求項５の発明は、請求項１ないし４のいずれかに記載の遠隔制御システムにおいて、本体装置は、コンテンツを出力する出力手段、およびコンテンツの品質を調整する調整手段をさらに備え、設定情報はコンテンツの品質を調整するための調整値を含み、制御手段は調整値に基づいて調整手段の調整動作を制御する。
【００１８】
請求項５の発明では、本体装置は、出力コンテンツの品質を調整する調整動作を行う。本体装置には、複数のオペレータの各々に向けられた調整値が記憶されており、本体装置は、遠隔制御装置から何らかの指令を受信すると、この指令に添付された登録識別子に対応する調整値に基づいて調整動作を制御する。これにより、あるオペレータが何らかの制御キーを押したとき、そのオペレータが予め登録した調整値に従って出力コンテンツの品質例えば音量，画質，音質などが調整されるので、オペレータの一人一人は、品質調整のための特別な操作を何ら行わなくても、自分の好みの品質でコンテンツを視聴することができる。
【００１９】
請求項６の発明は、請求項５記載の遠隔制御システムにおいて、調整値を示すキャラクタを表示する表示手段をさらに備え、設定情報はキャラクタの表示様態を示すキャラクタ情報をさらに含み、制御手段はキャラクタ情報に基づいてキャラクタ表示手段をさらに制御する。
【００２０】
請求項６の発明では、本体装置は、調整値を示すキャラクタタを表示する。本体装置には、複数のオペレータの各々に向けられたキャラクタ情報が記憶されており、本体装置は、キャラクタを表示するとき対応調整値に基づいて調整動作を制御する。これにより、あるオペレータが何らかの制御キーを押すのに応じて出力コンテンツの品質調整が行われたとき、そのオペレータが予め登録したキャラクタ情報に従う様態のキャラクタが表示されるので、オペレータの一人一人は、自分の好みや個性に合った様態を有するキャラクタを通じて調整値を確認することができる。
【００２１】
請求項７の発明は、請求項６記載の遠隔制御システムにおいて、キャラクタ情報は表示サイズを含む。
【００２２】
請求項７の発明によれば、自分の好みや個性に合った大きさを有するキャラクタを通じて調整値を確認することができる。
【００２３】
請求項８の発明は、請求項１ないし７のいずれかに記載の遠隔制御システムにおいて、本体装置は所定のアプリケーションプログラムを実行する実行手段をさらに備え、設定情報はアプリケーションプログラムの実行の可否を示す実行可否情報を含み、制御手段は実行可否情報に応じて実行手段を起動する。
【００２４】
請求項８の発明では、本体装置は、所定のアプリケーションプログラムを実行する。本体装置には、複数のオペレータの各々に向けられた実行可否情報が記憶されており、本体装置は、遠隔制御装置からアプリケーションプログラムの実行指令を受信すると、この指令に添付された登録識別子に対応する実行可否情報に基づいてアプリケーションプログラムを起動する。これにより、オペレータ一人一人に対してアプリケーションプログラムの実行制限を課すことができる。
【００２５】
請求項９の発明では、請求項８記載の遠隔制御システムにおいて、アプリケーションプログラムは電子メールを受信するためのプログラムを含む。
【００２６】
請求項９の発明によれば、オペレータ一人一人に対して電子メールの受信制限を課すことができる。
【発明の効果】
【００２７】
この発明によれば、これからリモコン装置を操作するユーザの識別子をリモコン装置に登録し、以降送信するリモコン信号にはこの登録された識別子を添付して送信する一方、本体装置には複数のユーザの各々の設定値を登録しておき、本体装置は、リモコン信号を受信したとき、この受信信号に含まれる識別子に対応するユーザの設定値に従ってリモコン信号を処理するので、複数のユーザの一人一人は、めんどうな操作を行うことなく、自分に適した信号処理を本体装置に行わせることができる。
【００２８】
この発明の上述の目的，その他の目的，特徴および利点は、図面を参照して行う以下の実施例の詳細な説明から一層明らかとなろう。
【発明を実施するための最良の形態】
【００２９】
図１を参照して、この実施例のテレビジョン受像機１０は、本体装置１２とリモコン装置１４とを備える。本体装置１２は、アンテナ１６を含む。アンテナ１６によって受信された高周波信号は、チューナ１８に与えられ、ＣＰＵ３８からの制御信号に従って所望のチャネルの中間周波数信号が生成される。生成された中間周波数信号は、検波回路２０に与えられ、コンポジット映像信号および音声信号が抽出される。
【００３０】
抽出された音声信号は、音声信号処理回路２２に与えられ、周波数変換処理を施される。周波数変換処理を施された音声信号は、増幅回路２４に与えられ、ＣＰＵ３８からの制御信号に従って所定のレベルまで増幅される。増幅された音声信号は、スピーカ２６に入力され、これによって、スピーカ２６から放送音声が出力される。
【００３１】
一方、抽出されたコンポジット映像信号は、ビデオ信号処理回路２８に与えられる。ビデオ信号処理回路２８では、コンポジット映像信号の輝度信号および搬送色信号への分離，搬送色信号の色信号への復調，輝度信号および色信号に基づくＲＧＢ信号の生成などの処理が行われる。生成されたＲＧＢ信号は、ドライブ回路３０を介してモニタ３２に与えられ、これによって、モニタ３２に放送映像が表示される。
【００３２】
ＯＳＤ（Ｏｎ ＳｃｒｅｅｎＤｉｓｐｌａｙ）回路４０は、ＣＰＵ３８からの指示によりキャラクタ信号を生成する。ＯＳＤ回路４０からキャラクタ信号が出力されると、このキャラクタ信号がビデオ信号処理回路２８からのＲＧＢ信号と混合回路４２で混合され、これによりモニタ３２にキャラクタがオンスクリーン表示される。キャラクタには、文字，記号，図形などが含まれ、これらのうち１つまたは複数の組み合わせによって各種の設定画面，カーソル，ボリュームバー，ガイド（設定内容を記述する文字列や音量を示す数字）などが構成される（図５〜図１４および図１６〜図１９を参照）。
【００３３】
このようなＴＶ放送の受信に加え、テレビジョン受像機１０は、電子メールの受信，ホームページの閲覧などのアプリケーションを実行することもできる。すなわち、ＣＰＵ３８は、ネットワークＩ／Ｆ５２を介してネットワーク５４に接続されており、フラッシュメモリ３６には、アプリケーションを実行するためのプログラムが格納されている。アプリケーションが起動されると、ＣＰＵ３８は、フラッシュメモリ３６のプログラムに従い、同じネットワーク５４に接続されたサーバ（図示せず）との間でデータのやり取りを行う。ＣＰＵ３８により受信されたデータは、ＯＳＤ回路４０を介してキャラクタに変換され、モニタ３２に表示される。
【００３４】
本体装置１２においてＴＶ放送を受信したりアプリケーションを実行したりする際、チャネル切り換え，音量調整などのＴＶ制御、およびアプリケーションの起動制御は、リモコン装置１４を通じて行われる。すなわち、リモコン装置１４は、図２のような操作パネル４８を含む。図１と共に図２を参照して、操作パネル４８には、チャネルキー，音量キーなどのＴＶ制御キー群４８ａと、カーソルキー４８ｂと、ＯＫキー４８ｃと、キャンセルキー４８ｄと、アプリ起動キー４８ｅとが設けられている。これらのキー４８ａ〜４８ｅのいずれかが押されると、押下キーに対応するカスタムコード（コマンド）がＣＰＵ４６に入力され、ＣＰＵ４６は、入力されたカスタムコードを含むリモコン信号をリモコン送信回路４４から送信する。送信されたリモコン信号は、本体装置１２側のリモコン受信回路３４によって受信され、受信されたリモコン信号は、ＣＰＵ３８に入力される。ＣＰＵ３８は、入力されたリモコン信号中のカスタムコードに該当するコマンドを発行し、発行されたコマンドに応じてチューナ１８，増幅回路２４，ＯＳＤ回路４０などが所定の処理を実行することにより、チャネル切り換え，音量調整，アプリ起動などがなされる。
【００３５】
また、上記のようにしてＴＶ制御やアプリ起動を行う際、リモコン装置１４は、ユーザによって異なる処理を本体装置１２に行わせることができる。具体的には、リモコン装置１４の操作パネル４８には、設定キー４８ｆおよびユーザ選択キー群４８ｇがさらに設けられている。ユーザ選択キー群４８ｇは、ユーザＡ〜Ｃと対応する３つの選択キーからなる。なお、選択キーの個数は、２つでも４つ以上でもよい。
【００３６】
ユーザ選択キー群４８ｇのいずれかの選択キーたとえば“ユーザＡ”が押されると、図３に示されるように、押下キーに対応するユーザコードがレジスタ５０ｒにセットされる。その後、ＴＶ制御キー群４８ａのいずれかの制御キーもしくはアプリ起動キー４８ｅが押されると、ＣＰＵ４６は、レジスタ５０ｒからユーザコードを取得し、押下キーに対応するカスタムコードとこのユーザコードとを含むリモコン信号を本体装置１２に送信する。
【００３７】
リモコン装置１４から本体装置１２へ送信されるリモコン信号の構成例が図４に示されている。図４を参照して、リモコン信号には、この信号の送信元，送信先，データ長などを記述したリーダコード（ヘッダ）と、カスタムコードおよびその反転コードと、ユーザコードおよびその反転コードとが含まれる。なお、反転コードは、誤り訂正を行うのに用いられる。
【００３８】
例えばユーザＡがリモコン装置１４で本体装置１２を制御する場合、ユーザＡは、まずユーザ選択キー群４８ｇのうち自分に割り当てられた選択キーつまり“ユーザＡ”を押す。これにより、リモコン装置１４のレジスタ５０ｒにユーザコード“Ａ”がセットされ、これ以降にリモコン装置１４から送信されるＴＶ制御コマンドおよびアプリ起動コマンドには、レジスタ値つまりユーザコード“Ａ”が添付される。続いてユーザＢがリモコン装置１４を操作する場合、ユーザＢは、選択キー“ユーザＢ”を押せばよい。応じてレジスタ値は“Ｂ”に書き換えられ、これ以降にリモコン装置１４から送信されるＴＶ制御コマンドおよびアプリ起動コマンドにはユーザコード“Ｂ”が添付される。こうしてリモコン信号にユーザコードを添付することにより、本体装置１２は、いまリモコン装置１４を操作しているのがどのユーザかを逐一知ることができる。
【００３９】
本体装置１２のレジスタ３６ｒには、３人のユーザＡ〜Ｃとそれぞれ対応する３つの設定値群（図１５参照；後述）が保持されており、例えばユーザコード“Ａ”が添付されたリモコン信号を受信した場合、本体装置１２は、ユーザＡの設定値群に従って処理を行う。従って、テレビジョン受像機１０の購入直後、ユーザ毎に複数の項目の各々について値を設定し、設定値群を本体装置１２に登録しなければならない。このようなユーザ設定は、リモコン装置１４を通じ、次のような手順で行われる。
【００４０】
ユーザＡ〜Ｃのうち一人、例えばユーザＡが管理者となり、自身を含む全てのユーザＡ〜Ｃについて順次設定を行う。なお、ユーザＡ〜Ｃがそれぞれ自分に関する設定作業を担当しても構わない。ユーザＡは、まず設定ボタン４８ｆを押し、この状態でさらにユーザ選択キー群４８ｇのいずれか１つ、例えば選択キー“ユーザＡ”を押す。こうして設定ボタン４８ｆおよび選択キー“ユーザＡ”が同時に押されると、リモコン装置１４から本体装置１２へ設定コマンドおよびユーザコード“Ａ”を含むリモコン信号（図４参照）が送信される。
【００４１】
このリモコン信号を受け、本体装置１２では、モニタ３２に図５のような設定項目画面が表示される。図５を参照して、設定項目画面には、この設定の対象を示す“ユーザＡ”と、ＯＳＤサイズ，ＯＳＤレイアウトといった複数の設定項目と、カーソルとが提示される。この状態でカーソルキー４８ｂが押されると、リモコン装置１４から本体装置１２へカーソル移動コマンドを含むリモコン信号が送信され、この信号に応じて設定項目画面のカーソルが次の項目へと移動する。
【００４２】
ユーザＡは、設定項目画面を参照しながらカーソルキー４８ｂを繰り返し押すことによりカーソルを所望の項目の位置まで移動させ、その後ＯＫキー４８ｃを押す。例えばカーソルが“ＯＳＤサイズ”を指向した状態でＯＫキー４８ｃが押されると、リモコン装置１４から本体装置１２へＯＫコマンドを含むリモコン信号が送信され、この信号に応じてモニタ３２の設定項目画面が図６のようなＯＳＤサイズ設定画面に更新される。
【００４３】
ユーザＡは、ＯＳＤサイズ設定画面を参照しながらカーソルキー４８ｂを繰り返し押すことによりカーソルを所望の項目の位置まで移動させ、その後ＯＫキー４８ｃを押す。例えばカーソルが“標準”を指向した状態でＯＫキー４８ｃが押されると、リモコン装置１４から本体装置１２へＯＫコマンドを含むリモコン信号が送信され、この信号に応じてレジスタ３６ｒにユーザＡのＯＳＤサイズに関する設定値“標準”が登録される。
【００４４】
ユーザＢについても同様の設定作業を行い、その結果、本体装置１２のレジスタ３６ｒにユーザＡのＯＳＤサイズに関する設定値“標準”と、ユーザＢのＯＳＤサイズに関する設定値“大”とが登録されたとすると、これ以降、ユーザＡがリモコン装置１４で音量調節を行う際には図７（Ａ）のようなＯＳＤが、ユーザＢが音量調節を行う際には図７（Ｂ）のようなＯＳＤが、モニタ３２に表示されることとなる。
【００４５】
他の設定項目“ＯＳＤレイアウト”，“ＣＨスキップ”，“パスワード”，“画像調整”，“音声調整”，“視聴制限”および“アプリ制限”と対応する設定画面が図８〜図１４に示されている。すなわち、設定項目画面上で項目“ＯＳＤレイアウト”が選択されると、図８のようなＯＤＳレイアウト設定画面が表示される。図８を参照して、ユーザＡ用のＯＤＳレイアウト設定画面では、ユーザＡがリモコン装置１４を使用する際に表示するＯＳＤの配色として“１”および“２”のどちらかを、同じくガイドについて“有”および“無”のどちらかを、同じく配置について“１”および“２”のどちらかを選択することができる。
【００４６】
図５の設定項目画面上で項目“ＣＨスキップ”が選択されると、図９のようなＣＨスキップ設定画面が表示される。図９を参照して、ユーザＡ用のＣＨスキップ設定画面では、ユーザＡの好みのチャネルの番号が入力される。こうしてユーザＡ〜Ｃの各々について好みのＣＨ番号を登録しておくことにより、ユーザＡ〜ＣがＴＶ制御キー群４８ａの中のチャネル切り換えキー（もしくはカーソルキー４８ｂ）でチャネルを切り換えるとき、登録されていないチャネルはスキップされ、その結果、チャネル切り換えに要する時間が短縮される。
【００４７】
同様に項目“パスワード設定”が選択されると、図１０のようなパスワード設定画面が表示される。図１０を参照して、ユーザＡ用のパスワード設定画面では、新規設定，および既に設定されているパスワードの更新を行うことができる。こうしてパスワードを設定しておくことにより、設定内容の他者による改変を防ぐことができる。
【００４８】
項目“画像設定”が選択されると、図１１のような画像設定画面が表示される。図１１を参照して、ユーザＡ用の画像設定画面では、画像の明るさやコントラストなどをユーザＡの好みの値に調整することができる。項目“音声設定”が選択されると、図１２のような音声設定画面が表示される。図１２を参照して、ユーザＡ用の音声設定画面では、音声の周波数特性や左右バランスなどをユーザＡの好みの値に調整することができる。
【００４９】
項目“受信制限設定”が選択されると、図１３のような受信制限設定画面が表示される。図１３を参照して、ユーザＡ用の受信制限設定画面では、ユーザＡによる視聴が禁止されるＣＨの番号や同じく禁止される番組の番号が入力される。こうして禁止ＣＨや禁止番組を登録することにより、ユーザＡ〜Ｃに対し個別的に受信制限を課すことができる。
【００５０】
項目“アプリ制限設定”が選択されると、図１４のようなアプリ利用制限設定画面が表示される。図１４を参照して、ユーザＡ用のアプリ利用制限設定画面では、本体装置１２にインストールされているアプリケーションソフト例えばメール送受信ソフトおよびインターネット閲覧ソフトの各々について、利用を許可するか禁止するかが設定される。これにより、ユーザＡ〜Ｃに対し個別的にアプリ利用制限を課すことができる。
【００５１】
ユーザＡ〜Ｃの全員について上記のような設定作業が完了すると、その時点で本体装置１２のレジスタ３６ｒには、図１５のようなテーブルが保持されていることになる。図１５を参照して、テーブルには、ユーザＡについての設定値群と、ユーザＢについての設定値群と、ユーザＣについての設定値群とが登録されている。本体装置１２のＣＰＵ３８は、リモコン受信回路３４を介してリモコン信号を受信すると、受信されたリモコン信号に含まれるユーザコードを判別し、判別されたユーザコードに対応する設定値群をレジスタ３６ｒのテーブルから取得する。次いで、受信されたリモコン信号に含まれるカスタムコートを判別し、判別されたカスタムコードに該当するコマンドを、取得された設定値群に従って処理する。これによりユーザＡ〜Ｃは、１台のリモコン装置１４を共有しながら、各々の好みや個性に応じた環境でＴＶ制御を行ったりアプリケーションを利用したりすることができる。
【００５２】
例えば、ユーザＡがＴＶ番組を視聴する場合、ユーザＡは、まずリモコン装置１４のユーザ選択キー群４８ｇの中の該当キー“ユーザＡ”を押す。応じてリモコン装置１４のレジスタ５０ｒにユーザコード“Ａ”がセットされる。次いでユーザＡは、ＴＶ制御キー群４８ａの中１つのキー例えば電源キーを押す。応じてリモコン装置１４のＣＰＵ４６は、電源ＯＮコマンドに該当するカスタムコードおよびユーザコード“Ａ”を含んだリモコン信号をリモコン送信回路４４から送信する。
【００５３】
本体装置１２のＣＰＵ３８は、リモコン受信回路３４を介して上記のリモコン信号を受信し、受信されたリモコン信号に含まれるユーザコード“Ａ”に対応する設定値群をレジスタ３６ｒから取得する。次いで、受信されたリモコン信号に含まれる電源ＯＮコマンドに応じて本体装置１２の電源をＯＮする。次いで、取得されたユーザＡの設定値群中の“画像調整”および“音声調整”に関する設定値に従って画像調整および音声調整を行う。そして、画像表示および音声出力を開始する。これによりユーザＡは、何ら特別な操作をすることなしに、好みの画質および音質で番組を視聴することができる。
【００５４】
ユーザＡがＴＶ番組を視聴し終えた後、ユーザＢが別のＴＶ番組を視聴する場合、ユーザＢは、ユーザ選択キー群４８ｇの中の該当キー“ユーザＢ”を押す。応じてリモコン装置１４のレジスタ５０ｒのユーザコードが“Ａ”から“Ｂ”に更新される。次いでユーザＢは、ＴＶ制御キー群４８ａの中の１つのキー例えばチャネル切り換えキーを押す。応じてリモコン装置１４のＣＰＵ４６は、ＣＨ切り換えコマンドに該当するカスタムコードおよびユーザコード“Ｂ”を含んだリモコン信号をリモコン送信回路４４から送信する。
【００５５】
本体装置１２のＣＰＵ３８は、リモコン受信回路３４を介して上記のリモコン信号を受信し、受信されたリモコン信号に含まれるユーザコード“Ｂ”に対応する設定値群をレジスタ３６ｒから取得する。次いで、受信されたリモコン信号に含まれるＣＨ切り換えコマンドに応じてチャネルを切り換える。その際、取得されたユーザＢの設定値群中の“ＣＨスキップ”に関する設定値に従ってチャネルを飛び飛びに切り換える。これによりユーザＢは、目的の番組に素早くチャネルを合わせることができる。さらにＣＰＵ３８は、取得されたユーザＢの設定値群中の“画像調整”および“音声調整”に関する設定値に従って画像調整および音声調整をも行う。これによりユーザＢは、何ら特別な操作をすることなしに、好みの画質および音質で番組を視聴することができる。
【００５６】
引き続きユーザＢが音量調整を行う場合、ユーザＢは、ＴＶ制御キー群４８ａの中の音量調整キーを押す。同じユーザが続けて操作を行う場合、レジスタ５０ｒにユーザコード“Ｂ”が保持されているので、その都度選択キー“ユーザＢ”を押す必要はない。応じてリモコン装置１４のＣＰＵ４６は、音量調整コマンドに該当するカスタムコードおよびユーザコード“Ｂ”を含んだリモコン信号をリモコン送信回路４４から送信する。
【００５７】
本体装置１２のＣＰＵ３８は、リモコン受信回路３４を介して上記のリモコン信号を受信し、受信されたリモコン信号に含まれるユーザコード“Ｂ”に対応する設定値群をレジスタ３６ｒから取得する。次いで、受信されたリモコン信号に含まれる音量調整コマンドに応じて音量調整を行うと共に、取得されたユーザＢの設定値群中の“ＯＳＤサイズ”および“ＯＳＤレイアウト”に関する設定値に従って、図７（Ｂ）に示されるようなレイアウトおよびサイズを有する音声調整用のＯＳＤを表示する。これによりユーザＢは、容易に音量値を読み取ることができる。
【００５８】
ユーザＢがＴＶ番組を視聴し終えた後、ユーザＣが禁止された有料チャネル（例えば１１０ＣＨ）のＴＶ番組を視聴しようとする場合には、次のような処理が行われる。ユーザＣは、ユーザ選択キー群４８ｇの中の該当キー“ユーザＣ”を押す。応じてリモコン装置１４のレジスタ５０ｒのユーザコードが“Ｂ”から“Ｃ”に更新される。次いでユーザＣは、ＴＶ制御キー群４８ａの中の１１０ＣＨへの切り換えキーを押す。応じてリモコン装置１４のＣＰＵ４６は、ＣＨ切り換えコマンドに該当するカスタムコードおよびユーザコード“Ｃ”を含んだリモコン信号をリモコン送信回路４４から送信する。
【００５９】
本体装置１２のＣＰＵ３８は、リモコン受信回路３４を介して上記のリモコン信号を受信し、受信されたリモコン信号に含まれるユーザコード“Ｃ”に対応する設定値群をレジスタ３６ｒから取得する。そして、取得されたユーザＣの設定値群中の“受信制限”に関する設定値“禁止ＣＨ：１１０，…”に従い、受信されたリモコン信号に含まれるＣＨ切り換えコマンドへの応答つまり１１０ＣＨへの切り換えを拒否する。これにより、ユーザＣが有料番組を見られないようにすることができる。
【００６０】
ユーザＣがＴＶ番組を視聴し終えた後、ユーザＡが電子メールを受信する場合の手順は、次のようになる。ユーザＡは、ユーザ選択キー群４８ｇの中の該当キー“ユーザＡ”を押す。応じてリモコン装置１４のレジスタ５０ｒのユーザコードが“Ｃ”から“Ａ”に更新される。次いでユーザＡは、アプリ起動キー４８ｅを押す。応じてリモコン装置１４のＣＰＵ４６は、アプリ起動コマンドに該当するカスタムコードおよびユーザコード“Ａ”を含んだリモコン信号をリモコン送信回路４４から送信する。
【００６１】
本体装置１２のＣＰＵ３８は、リモコン受信回路３４を介して上記のリモコン信号を受信し、受信されたリモコン信号に含まれるユーザコード“Ａ”に対応する設定値群をレジスタ３６ｒから取得する。次いで、図１６のようなアプリケーション項目画面を表示する。
【００６２】
ユーザＡは、表示されたアプリケーション項目画面を参照しながらカーソルキー４８ｂを押す。応じてリモコン装置１４のＣＰＵ４６は、カーソル移動コマンドに該当するカスタムコードを含んだリモコン信号をリモコン送信回路４４から送信する。本体装置１２のＣＰＵ３８は、リモコン受信回路３４を介して上記のリモコン信号を受信し、受信されたリモコン信号に含まれるカーソル移動コマンドに応じてカーソルを移動させる。これを繰り返すことによりカーソルが“メール”の位置まで移動すると、ユーザＡは、ＯＫキー４８ｃを押す。
【００６３】
カーソルが“メール”を指向した状態でＯＫキー４８ｃが押されると、リモコン装置１４から本体装置１２へＯＫコマンドを含むリモコン信号が送信され、これに応じて本体装置１２のＣＰＵ３８は、メール送受信ソフトを起動し、ユーザＡ宛の電子メールを受信する。そして、モニタ３２のアプリケーション項目画面が図１７のようなユーザＡ用のメール受信画面に更新される。なお、このときもし、先に取得されたユーザＡの設定値群の中の“アプリ制限”の設定値として“メール禁止”が登録されていれば、メール送受信ソフトは起動されない。従って、メール受信もメール受信画面への更新もなされず、代わりにエラーメッセージが表示される。
【００６４】
引き続き履歴を参照したい場合、ユーザＡは、同様にしてアプリケーション項目画面（図１６参照）を呼び出し、“フォルダ”を選択すればよい。カーソルが“フォルダ”を指向した状態でＯＫキー４８ｃが押されると、リモコン装置１４から本体装置１２へＯＫコマンドを含むリモコン信号が送信され、この信号に応じてモニタ３２のアプリケーション項目画面が図１８のようなフォルダ画面に更新される。次いでユーザＡは、フォルダ画面上でカーソルを“履歴”の位置まで移動させ、ＯＫキー４８ｃを押す。カーソルが“履歴”を指向した状態でＯＫキー４８ｃが押されると、リモコン装置１４から本体装置１２へＯＫコマンドを含むリモコン信号が送信され、この信号に応じてモニタ３２のフォルダ画面が図１９のような履歴画面に更新される。
【００６５】
リモコン装置１４のＣＰＵ４６は、具体的には図２０〜図２２のフロー図を処理する。なお、これらのフロー図に対応するプログラムは、フラッシュメモリ５０に格納されている。
【００６６】
まず図２０を参照して、ＣＰＵ４６は、ステップＳ１，Ｓ３およびＳ５でユーザ選択キー，アプリ起動キーおよびＴＶ制御キーの押下の有無を判別する。ユーザ選択キー４８ｇが押されるとステップＳ１でＹＥＳと判別され、ステップＳ７に移って設定キー４８ｆが押下中であるか否かつまり設定キー４８ｆと同時にユーザ選択キー４８ｇが押されているかどうかをさらに判別する。設定キー４８ｆが押下中でないつまりユーザ選択キー４８ｇだけが押されていれば、ステップＳ９で押下選択キーに対応するユーザコードをレジスタ５０ｒにセットし（図３参照）、その後ステップＳ１に戻る。なお、ステップＳ９については後述する。
【００６７】
ステップＳ７で設定キー４８ｆが押下中であるつまりユーザ選択キー４８ｇおよび設定キー４８ｆが同時押しされていると判別されると、ステップＳ１１に移って、設定コマンドおよびユーザコードを含むリモコン信号（図４参照）をリモコン送信回路４４から送信する。送信されたリモコン信号は、本体装置１２のリモコン受信回路３４によって受信され、受信されたリモコン信号中の設定コマンドおよびユーザコードに基づいてモニタ３２に設定項目画面（図５参照）が表示される。なお、本体装置１２側のＣＰＵ処理については、後述する。
【００６８】
次のステップＳ１３では、モニタ３２に表示されている設定項目画面に基づいてメニュー選択（後述）を行う。ステップＳ１３で設定項目画面上のいずれか１つの項目が選択されると、モニタ３２の設定項目画面は、選択された項目に関する設定画面（図６，図８〜図１４参照）に切り換わる。次のステップＳ１５では、モニタ３２に表示されている設定画面に基づいてメニュー選択（後述）を行い、その後ステップＳ１に戻る。ステップＳ１５の選択結果を受け、本体装置１２側では、設定値のレジスタ３６への登録処理が行われる。
【００６９】
アプリ起動キー４８ｅが押されると、ステップＳ３でＹＥＳと判別され、ステップＳ１７に移ってレジスタ５０ｒからユーザコードを取得する。次のステップＳ１９では、アプリ起動コマンドおよびユーザコードを含むリモコン信号をリモコン送信回路４４から送信する。送信されたリモコン信号は、本体装置１２のリモコン受信回路３４によって受信され、受信されたリモコン信号中のアプリ起動コマンドおよびユーザコードに基づいてモニタ３２にアプリ項目画面（図１６参照）が表示される。
【００７０】
次のステップＳ２１では、モニタ３２に表示されているアプリ項目画面に基づいてメニュー選択（後述）を行う。ステップＳ２１で設定項目画面上のいずれか１つの項目が選択されると、モニタ３２のアプリ項目画面は、選択された項目に対応するアプリ実行画面（図図１７〜図１９参照）に切り換わる。その後、ステップＳ１に戻る。
【００７１】
ＴＶ制御キー４８ａが押されると、ステップＳ５でＹＥＳと判別され、ステップＳ２３に移ってレジスタ５０ｒからユーザコードを取得する。次のステップＳ２５では、ＴＶ制御コマンドおよびユーザコードを含むリモコン信号をリモコン送信回路４４から送信する。送信されたリモコン信号は、本体装置１２のリモコン受信回路３４によって受信され、受信されたリモコン信号中のＴＶ制御コマンドおよびユーザコードに基づいてチャネル切り換え，音量調整といった処理が行われる。
【００７２】
上記ステップＳ９のユーザコードレジスタセット処理は、図２１のサブルーチンに従って実行される。図２１を参照して、ＣＰＵ４６は、まずステップＳ３１およびＳ３３において、ステップＳ１で押下されたユーザ選択キーの種別を判別する。押下キーがユーザＡ選択キーであればステップＳ３１でＹＥＳと判定され、ステップＳ３５に移ってユーザコード“Ａ”をレジスタ５０ｒにセットする。押下キーがユーザＢ選択キーであればステップＳ３３でＹＥＳと判定され、ステップＳ３７に移ってユーザコード“Ｂ”をレジスタ５０ｒにセットする。押下キーがユーザＣ選択キーであればステップＳ３１およびＳ３３で共にＮＯと判定され、ステップＳ３９に移ってユーザコード“Ｃ”をレジスタ５０ｒにセットする。こうしていずれかのユーザコードがレジスタ５０ｒにセットされると、上位層のルーチンに復帰する。
【００７３】
上記ステップＳ１３，Ｓ１５およびＳ２１のメニュー選択処理は、図２２のサブルーチンに従って実行される。図２２を参照して、ＣＰＵ４６は、まずステップＳ５１，Ｓ５３およびＳ５５でカーソルキー４８ｂ，ＯＫキー４８ｃおよびキャンセルキー４８ｄの押下の有無を判別する。カーソルキー４８ｂが押下されると、ステップＳ５１でＹＥＳと判定され、ステップＳ５７に移ってカーソル移動コマンドを含むリモコン信号をリモコン送信回路４４から送信する。そして、ステップＳ５１に戻る。送信されたリモコン信号は、本体装置１２のリモコン受信回路３４によって受信され、受信されたリモコン信号中のカーソル移動コマンドに基づいて画面上のカーソルが次の項目の位置に移動される。
【００７４】
ＯＫキー４８ｃが押されると、ステップＳ５３でＹＥＳと判定され、ステップＳ５９に移ってＯＫコマンドを含むリモコン信号をリモコン送信回路４４から送信する。その後、上位層のルーチンに復帰する。送信されたリモコン信号は、本体装置１２のリモコン受信回路３４によって受信され、受信されたリモコン信号中のＯＫコマンドに基づいて、このときカーソルの指向している項目が選択され、選択された項目に該当する処理が実行される。
【００７５】
キャンセルキー４８ｄが押されると、ステップＳ５５でＹＥＳと判定され、ステップＳ６１に移ってキャンセルコマンドを含むリモコン信号をリモコン送信回路４４から送信する。そして、上位層のルーチンに復帰する。送信されたリモコン信号は、本体装置１２のリモコン受信回路３４によって受信され、受信されたリモコン信号中のキャンセルコマンドに基づいて選択処理がキャンセルされる。
【００７６】
本体装置１２のＣＰＵ３８は、具体的には図２３〜図２６のフロー図を処理する。なお、これらのフロー図に対応するプログラムは、フラッシュメモリ３６に格納されている。
【００７７】
まず図２３を参照して、ＣＰＵ３８は、ステップＳ７１，Ｓ７３およびＳ７５で設定コマンド，アプリ起動コマンドおよびＴＶ制御コマンドの受信の有無を判別する。設定コマンドが受信されるとステップＳ７１でＹＥＳと判別され、ステップＳ７７に移ってユーザ設定処理（後述）を実行する。その後、ステップＳ７１に戻る。アプリ起動コマンドが受信されるとステップＳ７３でＹＥＳと判別され、ステップＳ７９に移ってアプリ起動処理（後述）を実行する。その後、ステップＳ７１に戻る。ＴＶ制御コマンドが受信されるとステップＳ７５でＹＥＳと判別され、ステップＳ８１に移ってＴＶ制御処理（後述）を行う。その後、ステップＳ７１に戻る。
【００７８】
上記ステップＳ７７のユーザ設定処理は、図２４のサブルーチンに従って実行される。図２４を参照して、ＣＰＵ４６は、まずステップＳ９１で、リモコン受信回路３４により受信された設定コマンドおよびユーザコードを取り込む。そしてステップＳ９３で、取り込まれた設定コマンドおよびユーザコードに基づいて設定項目画面（図５参照）を表示する。
【００７９】
次いで、ステップＳ９５，Ｓ９７およびＳ９９でカーソル移動コマンド，ＯＫコマンドおよびキャンセルコマンドの受信の有無を判別する。カーソル移動コマンドが受信されると、ステップＳ９５でＹＥＳと判定され、ステップＳ１０１に移って画面上のカーソルを移動させる。そして、ステップＳ９５に戻る。ＯＫコマンドが受信されると、ステップＳ９７でＹＥＳと判定され、ステップＳ１０３に抜ける。キャンセルコマンドが受信されると、ステップＳ９９でＹＥＳと判定され、上位層のルーチンに復帰する。
【００８０】
ステップＳ１０３では、ステップＳ９７でＯＫコマンドを受信したときカーソルが指向していた項目を選択し、選択された項目に関する設定画面（図６，図８〜図１４参照）をモニタ３２に表示する。つまり、それまで表示されていた設定項目画面が、選択された項目に関する設定画面に切り換わる。
【００８１】
次いで、ステップＳ１０５，Ｓ１０７およびＳ１０９でカーソル移動コマンド，ＯＫコマンドおよびキャンセルコマンドの受信の有無を判別する。カーソル移動コマンドが受信されると、ステップＳ１０５でＹＥＳと判定され、ステップＳ１１１に移って画面上のカーソルを移動させる。そして、ステップＳ１０５に戻る。ＯＫコマンドが受信されると、ステップＳ１０７でＹＥＳと判定され、ステップＳ１１３に抜ける。キャンセルコマンドが受信されると、ステップＳ１０９でＹＥＳと判定され、ステップＳ９３に戻る。
【００８２】
ステップＳ１１３では、ステップＳ１０７でＯＫコマンドを受信したときカーソルが指向していた項目を選択し、選択された項目に対応するパラメータの値をレジスタ３６ｒにセットする。そして、上位層のルーチンに復帰する。
【００８３】
上記ステップＳ７９のアプリ起動処理は、図２５のサブルーチンに従って実行される。図２５を参照して、ＣＰＵ４６は、まずステップＳ１２１で、リモコン受信回路３４により受信されたアプリ起動コマンドおよびユーザコードを取り込む。そしてステップＳ１２３で、取り込まれたアプリ起動コマンドおよびユーザコードに基づいてアプリ項目画面（図１６参照）を表示する。
【００８４】
次いで、ステップＳ１２５，Ｓ１２７およびＳ１２９でカーソル移動コマンド，ＯＫコマンドおよびキャンセルコマンドの受信の有無を判別する。カーソル移動コマンドが受信されると、ステップＳ１２５でＹＥＳと判定され、ステップＳ１３１に移って画面上のカーソルを移動させる。そして、ステップＳ１２５に戻る。ＯＫコマンドが受信されると、ステップＳ１２７でＹＥＳと判定され、ステップＳ１３３に抜ける。キャンセルコマンドが受信されると、ステップＳ１２９でＹＥＳと判定され、上位層のルーチンに復帰する。
【００８５】
ステップＳ１３３では、ステップＳ１２７でＯＫコマンドを受信したときカーソルが指向していた項目に対応するアプリケーションを選択する。次のステップＳ１３５では、ステップＳ１２１で取り込まれたユーザコードに対して、ステップＳ１３３で選択されたアプリケーションが利用禁止に設定されているか否かを、レジスタ３６ｒ内のテーブル（図１５参照）に基づいて判定する。この判定の結果が肯定的であれば、ステップＳ１３７に移ってモニタ３２にエラーメッセージを表示し、その後上位層のルーチンに復帰する。判定結果が否定的であればステップＳ１３９に移って、ステップＳ１３３で選択されたアプリケーションを起動し、その後上位層のルーチンに復帰する。
【００８６】
これにより、特定のユーザによる特定のアプリケーションの利用を制限することができる。例えばユーザＢに“インターネット禁止”を設定しておけば、ユーザＢがリモコン装置１４で所定のキー操作を行っても本体装置１２側でインターネット閲覧ソフトは起動されず、モニタ３２にエラーメッセージが表示される。
【００８７】
上記ステップＳ８１のＴＶ制御処理は、図２６のサブルーチンに従って実行される。図２６を参照して、ＣＰＵ４６は、まずステップＳ１５１で、リモコン受信回路３４により受信されたアプリ起動コマンドおよびユーザコードを取り込み、次のステップＳ１５３では、取り込まれたユーザコードが有効かどうかを判別する。取り込まれたユーザコードが無効であれば、ステップＳ１５５に移ってパラメータのデフォルト値群を取得し、その後ステップＳ１６７に進む。なお、パラメータのデフォルト値群は、フラッシュメモリ３６に格納されている。
【００８８】
取り込まれたユーザコードが有効であれば、ステップＳ１５７およびＳ１５９でユーザコードの種別を判別する。ユーザコードの種別が“Ａ”であれば、ステップＳ１６１に移り、レジスタ３６ｒ内のテーブル（図１５参照）からユーザＡに対応する設定値群を取得する。その後、ステップＳ１６７に進む。ユーザコードの種別が“Ｂ”であれば、ステップＳ１６３に移り、レジスタ３６ｒからユーザＢに対応する設定値群を取得する。その後、ステップＳ１６７に進む。ユーザコードの種別が“Ａ”でも”Ｂ“でもなければ、ステップＳ１６５に移り、レジスタ３６ｒからユーザＣに対応する設定値群を取得する。その後ステップＳ１６７に進む。
【００８９】
ステップＳ１６７では、ステップＳ１５５，Ｓ１６１，Ｓ１６３またはＳ１６５で取得された設定値群に従ってＴＶ制御コマンドを処理する。これにより、複数のユーザで１台のリモコン装置１４を共有しながら、一人一人が好みや個性に応じた環境でＴＶ制御を行うことが可能となる。
【００９０】
例えばユーザＡがリモコン装置１４でチャネルを切り換えるときには、ユーザＡの“ＣＨスキップ”に関する設定値に従ってチャネル切り換えコマンドが処理されるので、ユーザＡの好みのチャネルにしか切り換わらない。このため、所望のチャネルに素早く切り換えることができ、快適性が向上する。
【００９１】
また、例えば高齢者であるユーザＢが音量調整を行うときには、ユーザＢの“ＯＳＤサイズ”に関する設定値“大”に従って音量調節コマンドが処理されるので、モニタ３２には標準よりも大きなサイズのＯＳＤ（図７（Ｂ）参照）が表示される。このため、たとえ視力が低くても、表示された音量値を容易に読み取ることができる。
【００９２】
さらには、例えば１８歳未満であるユーザＣがＴＶ番組を視聴するときには、ユーザＣの“受信制限”に関する設定値“禁止ＣＨ：１１０，…”および“禁止番組：Ｎｏ．＊＊＊＊＊”に従ってチャネル切り換えコマンドが処理されるので、成人向け番組や有料番組などの視聴を制限することができる。そのため、多彩な内容のＴＶ番組の提供が可能となる。
【００９３】
そして、上記のような一人一人のユーザの好みや個性に基づく快適性，容易性および多様性は、テレビジョン受像機１０の購入時に一度ユーザＡ〜Ｃの各々について設定作業を行うだけで、以降何ら手間をかけることなく実現される。
【００９４】
以上から明らかなように、この実施例によれば、これからリモコン装置１４を操作するユーザのコードをリモコン装置１４のレジスタ５０ｒに登録し、以降送信するリモコン信号にはこの登録されたユーザコードを添付して送信する一方、予め本体装置１２に複数のユーザの各々の設定値群を登録しておき、本体装置１２は、リモコン信号を受信したとき、この受信信号に含まれるユーザコードに対応する設定値群に従ってリモコン信号を処理するので、複数のユーザの一人一人は、めんどうな操作を行うことなく、自分に適した信号処理を本体装置１２に行わせることができる。
【００９５】
なお、この実施例では、リモコン装置１４はユーザ選択キー群４８ａによってユーザの特定を行っているが、リモコン装置１４に指紋識別装置を組み込んでも、同じようにユーザの特定が行える。
【００９６】
また、この実施例では、ネットワーク５４経由でメール受信およびホームページ閲覧を行ったが、さらにソフトウエアプログラムをダウンロードしてもよい。この場合、ダウンロードされたプログラムについても、ユーザ毎に実行可否を設定することができる。
【００９７】
なお、以上では、一実施例としてテレビジョン受像機を説明したが、この発明は、リモコンによって制御されるあらゆる信号処理装置に適用することができる。このような信号処理装置としては、例えばラジオ受信機，ビデオ録画／再生機，ハードディスクコーダ，ＣＤプレーヤ／レコーダ，ＤＶＤプレーヤ／レコーダなどのコンテンツ記録／再生装置，チューナ，ＡＶアンプ，マルチメディアパソコンなどが挙げられる。
【図面の簡単な説明】
【００９８】
【図１】この発明の一実施例であるテレビジョン受像機の構成を示すブロック図である。
【図２】リモコンの操作パネルの構成例を示すブロック図である。
【図３】リモコンのレジスタ内容を示すブロック図である。
【図４】リモコン信号の形式を示す図解図である。
【図５】設定項目画面を示す図解図である。
【図６】設定画面の一例を示す図解図である。
【図７】（Ａ）は“標準”サイズのＯＳＤの表示例を、（Ｂ）は“大”サイズのＯＳＤの表示例を示す図解図である。
【図８】設定画面の他の一例を示す図解図である。
【図９】設定画面のその他の一例を示す図解図である。
【図１０】設定画面のさらにその他の一例を示す図解図である。
【図１１】設定画面の他の一例を示す図解図である。
【図１２】設定画面のその他の一例を示す図解図である。
【図１３】設定画面のさらにその他の一例を示す図解図である。
【図１４】設定画面の他の一例を示す図解図である。
【図１５】本体のレジスタ内容を示す図解図である。
【図１６】アプリケーション項目画面を示す図解図である。
【図１７】アプリケーション画面の一例を示す図解図である。
【図１８】アプリケーション画面の他の一例を示す図解図である。
【図１９】アプリケーション画面のその他の一例を示す図解図である。
【図２０】リモコンのＣＰＵ動作の一部を示すフロー図である。
【図２１】リモコンのＣＰＵ動作の他の一部を示すフロー図である。
【図２２】リモコンのＣＰＵ動作のその他の一部を示すフロー図である。
【図２３】本体のＣＰＵ動作の一部を示すフロー図である。
【図２４】本体のＣＰＵ動作の他の一部を示すフロー図である。
【図２５】本体のＣＰＵ動作のその他の一部を示すフロー図である。
【図２６】本体のＣＰＵ動作のさらにその他の一部を示すフロー図である。
【符号の説明】
【００９９】
１０…テレビジョン受像機
１２…本体
１４…リモコン
３６ｒ，５０ｒ…レジスタ
４８ａ…ＴＶ制御キー群
４８ｇ…ユーザ選択キー群
【図１】
2005252577.tif 000003
【図２】
2005252577.tif 000004
【図３】
2005252577.tif 000005
【図４】
2005252577.tif 000006
【図５】
2005252577.tif 000007
【図６】
2005252577.tif 000008
【図７】
2005252577.tif 000009
【図８】
2005252577.tif 000010
【図９】
2005252577.tif 000011
【図１０】
2005252577.tif 000012
【図１１】
2005252577.tif 000013
【図１２】
2005252577.tif 000014
【図１３】
2005252577.tif 000015
【図１４】
2005252577.tif 000016
【図１５】
2005252577.tif 000017
【図１６】
2005252577.tif 000018
【図１７】
2005252577.tif 000019
【図１８】
2005252577.tif 000020
【図１９】
2005252577.tif 000021
【図２０】
2005252577.tif 000022
【図２１】
2005252577.tif 000023
【図２２】
2005252577.tif 000024
【図２３】
2005252577.tif 000025
【図２４】
2005252577.tif 000026
【図２５】
2005252577.tif 000027
【図２６】
2005252577.tif 000028